(57)【要約】      （修正有）【課題】天然皮革を３次元曲面の把持形状部を有する光学機器用グリップにおいて、天然皮革の密着性を確保でき、縁部からの剥がれ発生を防止し、めくれなどを防止できる光学機器用グリップの提供。【解決手段】山部と谷部を有した３次元曲面の把持形状部を複数箇所形成し、光学機器に固定される光学機器用グリップ１０であって、光学機器は、突合せ面３を光学機器本体の表面２ａから連続形成した取付部を有し、光学機器用グリップは、グリップ本体１１と、グリップ本体の表面を覆う形状の弾性部材１２と、弾性部材をグリップ本体に接着する第１の接着層１５と、山部と谷部とに密着するように弾性部材の表面全体を覆い、かつその縁部１３ａを弾性部材の縁部裏面にかけて一部覆うように第２の接着層１４で接着される天然皮革部材１３とを備え、天然皮革部材の外側頂点部分を、突合せ面に対向させて取付部に固定する。【選択図】図３
2010014977.tif 000002
【特許請求の範囲】
【請求項１】
山部と谷部の間で少なくとも３ｍｍ以上の高低差を有した３次元曲面の把持形状部を複数箇所形成するとともに、光学機器に固定される光学機器用グリップであって、
前記光学機器は、光学機器本体の表面から突合せ面を連続形成した取付部を有し、
前記光学機器用グリップは、
前記把持形状部と前記取付部に固定される固定部とを形成したグリップ本体と、
前記把持形状部を形成するとともに、前記グリップ本体の表面を覆う形状の弾性部材と、
前記弾性部材を前記グリップ本体に接着する第１の接着層と、
前記山部と前記谷部とに密着するように前記弾性部材の表面全体を覆い、かつその縁部を前記弾性部材の縁部裏面にかけて一部覆うように第２の接着層で接着される天然皮革部材と、を備え、
前記天然皮革部材の前記一部覆われた外側頂点部分を、前記突合せ面に対向させた状態で前記固定部を前記取付部に固定することを特徴とする光学機器用グリップ。
【請求項２】
前記取付部は、前記光学機器本体から延設される上部延設部と下部延設部と、前記上部延設部と前記下部延設部との間に形成される開口部とから構成され、
前記グリップ本体は、前記上部延設部と前記下部延設部と前記開口部とを同時に覆う略Ｕ字横断面形状を有し、前記固定部は、前記開口部の左右縁部に形成される左右取付部に対して固定されることを特徴とする請求項１に記載の光学機器用グリップ。
【請求項３】
前記左右取付部は、前記突合せ面から連続する段差部として形成されることを特徴とする請求項２に記載の光学機器用グリップ。
【請求項４】
前記グリップ本体と前記弾性部材の間において、相互位置決めを行うための位置決め部材が設けられることを特徴とする請求項１乃至３のいずれか１項に記載の光学機器用グリップ。
【請求項５】
前記光学機器は、デジタル一眼カメラであり、前記グリップ本体は、樹脂射出成形品であり、前記弾性部材は成形可能な天然ゴム、化学合成ゴム、高分子樹脂素材、エラストマーを含み、前記天然皮革部材は、牛なめし革であることを特徴とする請求項１乃至４のいずれか１項に記載の光学機器用グリップ。
【発明の詳細な説明】
【技術分野】
【０００１】
本発明は、光学機器用グリップに係り、特に光学機器と一体的に設けた機種に使用される光学機器用グリップに関する。
【背景技術】
【０００２】
光学機器であるカメラにおいて、天然皮革部材をその外装部分に用いることで高い質感と良好な手触り感を得るとともに、カメラの保管時または携帯時においてソフトケースを不要にすることが提案されている、（特許文献１）
一方、カメラ底面の三脚固定用ネジ穴を利用して後付け可能に設けられた専用グリップが製造販売されている。この専用グリップは、シャッターに連動するボタンを把持部に設けるとともに、山部と谷部の間で少なくとも３ｍｍ以上の高低差を有した３次元曲面の把持形状部をゴム部材などから形成している。
【０００３】
また、グリップをカメラ本体と一体的に設けた機種も多く製造販売されている。このようにグリップをカメラ本体と一体的に設けた機種において、グリップに天然皮革を用いれば、高い質感と良好な手触り感を得ることができる。
【０００４】
したがって、特に高級品としての価値が上がるとともに、天然皮革特有の長期使用後のフィット感を得ることが可能になる。
【特許文献１】特開平８−９５１３３号公報
【発明の開示】
【発明が解決しようとする課題】
【０００５】
しかしながら、グリップ部分に対して天然皮革を接着した場合には、切断面の縁部からの剥がれが発生し、やがてめくれ上がりが発生する。さらに、３次元曲面の把持形状部への天然皮革の密着性の確保が困難であるなどの理由から耐久性に乏しい問題がある。
【０００６】
したがって、本発明は上記の問題点に鑑みて成されたものであり、天然皮革を３次元曲面の把持形状部を有する光学機器用グリップに用いる場合において、天然皮革の密着性を確保でき、縁部からの剥がれ発生を防止し、めくれなどを防止できる光学機器用グリップの提供を目的としている。
【課題を解決するための手段】
【０００７】
上述した課題を解決し、目的を達成するために、本発明によれば、山部（１０ｂ）と谷部（１０ａ）の間で少なくとも３ｍｍ以上の高低差を有した３次元曲面の把持形状部を複数箇所形成するとともに、光学機器（１）に固定される光学機器用グリップ（１０）であって、前記光学機器は、突合せ面（３）を光学機器本体の表面から連続形成した取付部を有し、前記光学機器用グリップは、前記把持形状部と前記取付部に固定される固定部とを形成したグリップ本体（１１）と、前記把持形状部を形成するとともに、前記グリップ本体の表面を覆う形状の弾性部材（１２）と、前記弾性部材を前記グリップ本体に接着する第１の接着層（１５）と、前記山部と前記谷部とに密着するように前記弾性部材の表面全体を覆い、かつその縁部（１３ａ）を前記弾性部材の縁部裏面にかけて一部覆うように第２の接着層（１４）で接着される天然皮革部材（１３）と、を備え、前記一部覆われた前記天然皮革部材の外側頂点部分を、前記突合せ面に対向させた状態で前記固定部を前記取付部に対して固定することを特徴としている。
【０００８】
また、前記取付部は、前記光学機器本体（２）から延設される上部延設部（４）と下部延設部（５）と、前記上部延設部と前記下部延設部との間に形成される開口部（２２）とから構成され、前記グリップ本体は前記上部延設部と前記下部延設部と前記開口部とを同時に覆う略Ｕ字横断面形状を有し、前記固定部は前記開口部の左右縁部に形成される左右取付部（６、７）に対して固定されることを特徴としている。
【０００９】
また、前記左右取付部は、前記突合せ面から連続する段差部として形成されることを特徴としている。
【００１０】
また、前記グリップ本体と前記弾性部材の間において、相互位置決めを行うための位置決め部材（１１ｃ、１２ｃ）が設けられることを特徴としている。
【００１１】
そして、前記光学機器は、デジタル一眼カメラであり、前記グリップ本体は、樹脂射出成形品であり、前記弾性部材は成形可能な天然ゴム、化学合成ゴム、高分子樹脂素材、エラストマーを含ゴム製であり、前記天然皮革部材は、牛なめし革であることを特徴としている。
【発明の効果】
【００１２】
本発明によれば、天然皮革部材の外側頂点部分を、突合せ面に対向させた状態で光学機器の取付部に対して固定することで、天然皮革部材の切断面の縁部からの剥がれ発生を防止して、めくれ上がり発生を防止することで耐久性を向上することができる光学機器用グリップを提供できる。
【発明を実施するための最良の形態】
【００１３】
以下に本発明の好適な一実施形態について、添付図面を参照して説明する。ここで、以下の実施形態では光学機器用グリップとして、デジタル一眼カメラの構成例について述べるが、この他に、銀塩フィルムカメラ、ビデオカメラ等の機器の他にも適用可能であることは言うまでもない。
【００１４】
図１は、デジタル一眼カメラ１から交換式レンズを取り外し、光学機器用グリップ１０（以下、グリップ１０と言う）を固定する様子を示した外観斜視図である。本図において、デジタル一眼カメラ１は、突合せ面３を、本体２の表面２ａから略直角に連続形成した取付部を図示のように形成している。
【００１５】
この取付部は、本体２の左上方から手前に延設される上部延設部４と本体２の左下方から手前に延設される下部延設部５と、上部延設部４と下部延設部５との間に形成される開口部２２とから構成されている。
【００１６】
グリップ１０は、上部延設部４と下部延設部５と開口部２２とを同時に覆う略Ｕ字横断面形状を有しており、後述する固定部は開口部の左右縁部に形成される左右取付部６、７に対して固定されるように構成されている。また、このグリップ１０は、図示のように山部１０ｂと谷部１０ａの間で少なくとも３ｍｍ以上の高低差Ｈを有した３次元曲面の把持形状部を２箇所以上形成している。
【００１７】
次に、図２はグリップ１０の立体分解図である。また、図３(ａ)は、図１のＸ-Ｘ線矢視断面図であり、図３(ｂ)は、別構成の光学機器用グリップ１０における図１のＸ-Ｘ線矢視断面図である。
【００１８】
両図において、本図において、既に説明済みの構成または部品については同様の符号を附して説明を割愛すると、樹脂成形されて準備されるグリップ本体１１は、把持形状部と取付部に固定される固定部１１ｂ、１１ａとを形成している。また、図示のように山部と谷部とを形成した把持形状部を形成するとともに、このグリップ本体１１の表面を覆う形状の弾性部材１２が成形可能な天然ゴム、化学合成ゴム、高分子樹脂素材、エラストマー材料から準備される。
【００１９】
この弾性部材１２はグリップ本体１１に対して第１の接着層１５により接着される。また、牛なめし皮の天然皮革部材１３は、弾性部材１２の山部と谷部とに密着するように弾性部材の表面全体を覆うように実線矢印方向に不図示の治具にセットされて引っ張られてから、幅Ｗ分の縁部１３ａが弾性部材１２の縁部１２ｋの裏面にかけて図中の二重矢印で示すように裏打ちされて一部を覆うように第２の接着層１４を用いて接着される。
【００２０】
以上のようにして、図３に図示したように天然皮革部材１３の外側頂点部分が突合せ面３に対向させた状態で固定部を取付部に対して固定して完成する。
【００２１】
具体的には、左右取付部６、７は、突合せ面３から連続する段差部として形成されており、グリップ本体１１の溝部１１ａが左取付部７の突起７ａに入りこみ、右取付部６に穿設されたネジ孔６ａに皿ネジ２０を螺合させて固定する。
【００２２】
またグリップ本体１１と弾性部材１２の間において、相互位置決めを行うための位置決め部材１１ｃ、１２ｃが設けられており、接着の際にこれらを挿入することで位置ずれを防止できるようにしている。
【００２３】
また、図３(ｂ)の別構成の光学機器用グリップ１０によれば、グリップ本体１１と一体成形されるフック部１１ｋが本体２のフック部２ｋに嵌合することで固定されるように構成されている。また、突合せ面３は、図示のように表面から約３０度の角度で斜めに形成されている。この構成によれば、天然皮革部材１３の外側頂点部分を、突合せ面３に対向させた状態でカメラ側の取付部に固定することで、図３に図示したように本体の表面２ａと天然皮革部材１３の表面部分とが略面一状態になる。
【００２４】
この結果、天然皮革部材の切断面の縁部からの剥がれ発生を防止できるようなる。さらに、弾性部材１２の硬度を任意に設定できるので把持したときの反発力を適度に設定することも可能になる。さらには、皮革が薄くても上記のようにゴム層ととともに２重構造にする事により高い質感と良好な手触り感を得る事ができることとなる。
【図面の簡単な説明】
【００２５】
【図１】デジタル一眼カメラ１から交換式レンズを取り外し、光学機器用グリップ１０を固定する様子を示した外観斜視図である。
【図２】光学機器用グリップ１０の立体分解図である。
【図３】(ａ)は、図１のＸ-Ｘ線矢視断面図、(ｂ)は、別構成の光学機器用グリップ１０における図１のＸ-Ｘ線矢視断面図である。
【符号の説明】
【００２６】
１  デジタル一眼カメラ（光学機器）
２  光学機器本体
２ａ  表面
３  突合せ面
１０  光学機器用グリップ
１１  グリップ本体
１２  弾性部材
１３  天然皮革
１４  第２の接着層
１５  第１の接着層
【図１】
2010014977.tif 000003
【図２】
2010014977.tif 000004
【図３】
2010014977.tif 000005